(57)【要約】  本発明は、第１プライマリ局及び第２プライマリ局を含むネットワークを動作させるための方法に関し、第１プライマリ局は、第１プライマリ局と通信する少なくとも１つの第１セカンダリ局を含む第１セルを取り扱い、第２プライマリ局は、第２プライマリ局と通信する少なくとも１つの第２セカンダリ局を含む第２セルを取り扱い、当該方法は、(a)第１プライマリ局及び第２プライマリ局が、少なくとも１つのリソースセット上で同期してペイロードを送信するステップ、(b)第１及び第２プライマリ局が、それぞれ第１セカンダリ局及び第２セカンダリ局に、前記少なくとも１つのリソースセット上で制御データを送信するステップを有し、当該方法はさらに、(c)少なくとも、第１プライマリ局が、第２プライマリ局からの制御データの送信と直交する第１セカンダリ局への制御データの送信を実行するステップを有する。
2013520063.tif 000002
【特許請求の範囲】
【請求項１】
第１プライマリ局及び第２プライマリ局を含むネットワークを動作させるための方法であって、前記第１プライマリ局は、当該第１プライマリ局と通信する少なくとも１つの第１セカンダリ局を含む第１セルを取り扱い、前記第２プライマリ局は、当該第２プライマリ局と通信する少なくとも１つの第２セカンダリ局を含む第２セルを取り扱い、当該方法は、
(a)前記第１プライマリ局及び前記第２プライマリ局が、少なくとも１つのリソースセット上で同期してペイロードを送信するステップ、
(b)前記第１プライマリ局及び前記第２プライマリ局が、それぞれ前記第１セカンダリ局及び前記第２セカンダリ局に、前記少なくとも１つのリソースセットのうちの少なくとも１つのサブセット上で制御データを送信するステップ、
を有し、当該方法はさらに、
(c)少なくとも前記第１プライマリ局が、前記第２プライマリ局からの制御データの送信と直交する、前記第１セカンダリ局への制御データの送信を実行するステップ、
を有する方法。
【請求項２】
前記第１プライマリ局及び前記第２プライマリ局が、１つの基地局に含まれる、請求項１に記載の方法。
【請求項３】
前記第1セカンダリ局及び前記第２セカンダリ局が、１つのセカンダリ局である、請求項１又は請求項２に記載の方法。
【請求項４】
前記ステップ（ｃ）が、前記第２セカンダリ局への制御データの送信と周波数ドメインにおいて直交する、前記第１セカンダリ局への前記制御データの少なくとも一部の送信を実行することを含む、請求項１から請求項３のいずれか一項に記載の方法。
【請求項５】
前記ステップ（ｃ）が、前記第２プライマリ局が制御データを送信するためにリソースの第１サブセットを用いることができるように、前記第１プライマリ局が、リソースセットの前記第１サブセット上で送信することをやめることを含む、請求項４に記載の方法。
【請求項６】
前記リソースセットが複数のリソース・ブロックからなり、前記ステップ（ｃ）が、前記第２プライマリ局が制御データを送信するためにリソース・ブロックの第１サブセットを用いることができるように、前記第１プライマリ局が、リソース・ブロックの前記第１サブセット上で送信することをやめることを含む、請求項５に記載の方法。
【請求項７】
前記第１サブセットが、前記リソースセットのうちのM個（Mは整数）のリソース・ブロックごとに１つのリソース・ブロックからなる、請求項６に記載の方法。
【請求項８】
前記リソースセットが複数の副搬送波からなり、前記ステップ（ｃ）が、前記第２プライマリ局が制御データを送信するために副搬送波の第１サブセットを用いることができるように、前記第１プライマリ局が、副搬送波の前記第１サブセット上で送信することをやめることを含む、請求項５に記載の方法。
【請求項９】
前記第１サブセットが、前記リソースセットのうちのM個（Mは整数）の副搬送波ごとに１つの副搬送波からなる、請求項８に記載の方法。
【請求項１０】
Mが３又は６に等しい、請求項７又は請求項９に記載の方法。
【請求項１１】
前記第１サブセットが、前記第１セルのIDによって決定される、請求項５から請求項１０のいずれか一項に記載の方法。
【請求項１２】
前記第１サブセットの指示が、前記第１プライマリ局によって前記第２プライマリ局に通知される、請求項５から請求項１１のいずれか一項に記載の方法。
【請求項１３】
前記第１サブセットの指示が、前記第１プライマリ局によって前記第１セカンダリ局に通知される、請求項５から請求項１２のいずれか一項に記載の方法。
【請求項１４】
前記第１セカンダリ局が、第１サーチ空間に潜在的に含まれる全てのメッセージを復号することによって前記制御データをサーチし、前記第２セカンダリ局が、第２サーチ空間に潜在的に含まれる全てのメッセージを復号することによって前記制御データをサーチし、
前記ステップ（ｃ）が、前記第１サーチ空間のリソースの少なくとも１つが前記第２サーチ空間に含まれないように、前記第１プライマリ局が前記第１サーチ空間を設定することを含む、請求項４に記載の方法。
【請求項１５】
前記第１サーチ空間が、前記第１セルのIDによって決定される、請求項１４に記載の方法。
【請求項１６】
前記第１サーチ空間の指示が、前記第１プライマリ局によって前記第２プライマリ局に通知される、請求項１４又は請求項１５に記載の方法。
【請求項１７】
前記第１サーチ空間の指示が、前記第１プライマリ局によって前記第１セカンダリ局に通知される、請求項１４から請求項１６のいずれか一項に記載の方法。
【請求項１８】
前記ステップ（ｃ）が、前記第１プライマリ局が当該第１プライマリ局からの制御データの送信に第１拡散符号を適用することを含み、前記拡散符号が、前記第２プライマリ局からの制御データの送信に適用される第２拡散符号と直交する、請求項１から請求項４のいずれか一項に記載の方法。
【請求項１９】
前記第１拡散符号が、前記第１セルのIDによって決定される、請求項１８に記載の方法。
【請求項２０】
前記第１拡散符号の指示が、前記第１プライマリ局によって前記第２プライマリ局に通知される、請求項１８又は請求項１９に記載の方法。
【請求項２１】
前記第１拡散符号の指示が、前記第１プライマリ局によって前記第１セカンダリ局に通知される、請求項１８から請求項２０のいずれか一項に記載の方法。
【請求項２２】
プライマリ局及び更なるプライマリ局を含むネットワークを動作させる手段を有するプライマリ局であって、前記プライマリ局は当該プライマリ局と通信する少なくとも１つの第１セカンダリ局を含む第１セルを取り扱い、前記更なるプライマリ局は当該第２プライマリ局と通信する少なくとも１つの第２セカンダリ局を含む第２セルを取り扱い、
前記プライマリ局は、少なくとも１つのリソースセット上で前記更なるプライマリ局と同期してペイロードを送信するための手段を有し、
前記送信するための手段は、前記第１セカンダリ局に前記少なくとも１つのリソースセットのうちの少なくとも１つのサブセット上で制御データを送信するように用意され、
前記プライマリ局は、前記更なるプライマリ局からの制御データの送信と直交する、前記第１セカンダリ局への前記制御データの少なくとも一部の送信を実行するように用意される、プライマリ局。
【請求項２３】
請求項１から請求項２１のいずれか一項に記載の方法を実施するように適応されたセカンダリ局であって、当該セカンダリ局は、
第１サブセット、
第1サーチ空間、
第1拡散符号、
のうちの少なくとも１つにしたがって、プライマリ局からの制御データの受信を適応させるための手段を有する、セカンダリ局。
【発明の詳細な説明】
【技術分野】
【０００１】
本発明は、UMTS Long Term Evolutionのような、互いに干渉する可能性がある複数のセルを含むセルラネットワークに関する。
【０００２】
特に、本発明は、２つの干渉するセル間の制御データに発生する干渉を低減するための方法に関する。これは、例えば、同期セル送信の場合に発生するが、その場合に限られない。
【０００３】
本発明は、例えば、UMTS、UMTS LTEネットワークのような、又は、広帯域無線ネットワーク若しくはWLANのような、モバイル遠距離通信ネットワークに関連する。
【背景技術】
【０００４】
多くの無線システムにおいて、データがマップされる特定の時間-周波数送信リソース及びデータ自体が送信されるフォーマット/モードを示す制御チャネル信号伝達が必要である。UMTS LTE Rel-8ダウンリンク通信では、リソース割り当て及び伝送フォーマット情報を含む関連する制御チャネルは、物理ダウンリンク制御チャネル(PDCCH)として知られる。
【０００５】
各々のPDCCHは、１つ以上の制御チャネル要素(CCE)を用いて送信され、各々のCCEは、４つの物理的リソース要素の複数のセットに対応する。特定のPDCCHの送信のために使用されるCCEの数は、プライマリ局（LTEではENodeB(又はeNB)）によってチャネル条件に従って決定される。
【０００６】
同じ搬送周波数における隣接した又は重なり合うセルからのPDCCH送信は、互いに干渉する可能性がある。問題のセルが時間調整された送信によって同期するか又はほぼ同期する場合に、この問題は特に顕著となる。一方、CoMP(Co-operative Multi-Point：協調マルチポイント)のようないくつかの送信モードに対して、同期は、満足な性能のために必須であると考えられる。実際、協調マルチポイント送信は、一般に、複数のセルからのアンテナがユーザへの１つの送信のために用いられるMIMO送信である。
【０００７】
したがって、PDCCH干渉の軽減が必要とされる。
【０００８】
LTE Release 8において、PDCCH上の干渉の影響を軽減するための主要なメカニズムは、(システム帯域にわたる)周波数ドメインにおける、及び、(制御チャネルのために予約されるOFDMシンボルにわたる)時間ドメインにおける、リソース要素(RE)のランダム化である。
【０００９】
LTEにおいてランダム化によってロバストネスを増加させるための既存の方法は、以下を含む。
・制御チャネルの増加したまばらさ。これは、例えば、PDCCHロードによって必要とされない場合であっても、３つのOFDMシンボルに展開することよって実行されることができる。
・PDCCH送信を促進するパワー。PDSCHはパワー増強されていないので、これはPDSCH干渉に対して効果的である。しかしながら、非常に効率的であるためには「増加したまばらさ」と組み合わせられることを必要とする。
・PDCCHのために使用される増加した集合レベル。これは、個々のPDCCH送信のロバストネスを増加させるが、より大きな干渉につながり、したがって非常に効果的である可能性はない。
【００１０】
しかしながら、特に、２つ又は３つの干渉するセルを取り扱う１つのベース局のためのような、完全に調整された送信の場合、これらの方法のいずれも十分に効果的ではない。
【発明の概要】
【発明が解決しようとする課題】
【００１１】
上述した問題を軽減する方法を提案することが本発明の目的である。
【００１２】
同期された又はほぼ同期されたセルのために経験されるPDCCHの干渉を低減するための方法を提供することが本発明の他の目的である。
【００１３】
特にセルのエッジにおける制御データの受信の品質を改善することが本発明の他の目的である。
【課題を解決するための手段】
【００１４】
本発明の第１の態様によれば、第１プライマリ局及び第２プライマリ局を含むネットワークを動作させるための方法が提案され、第１プライマリ局は、当該第１プライマリ局と通信する少なくとも１つの第１セカンダリ局を含む第１セルを取り扱い、第２プライマリ局は、当該第２プライマリ局と通信する少なくとも１つの第２セカンダリ局を含む第２セルを取り扱い、当該方法は、
(a) 第１プライマリ局及び第２プライマリ局が、少なくとも１つのリソースセットで同期してペイロードを送信するステップ、
(b) 第１及び第２プライマリ局が、それぞれ第１セカンダリ局及び第２セカンダリ局に前記少なくとも１つのリソースセットで制御データを送信するステップ、
を有し、当該方法はさらに、
(c) 少なくとも第１プライマリ局が、第２プライマリ局からの制御データの送信と直交する、第１セカンダリ局への制御データの送信を実行するステップを有する。
【００１５】
本発明は、プライマリ局にも関し、当該プライマリ局は、当該プライマリ局及び更なるプライマリ局を含むネットワークを動作させるための手段を有し、当該プライマリ局は、当該プライマリ局と通信する少なくとも１つの第１セカンダリ局を含む第１セルを取り扱い、前記更なるプライマリ局は、第２プライマリ局と通信する少なくとも１つの第２セカンダリ局を含む第２セルを取り扱い、前記プライマリ局は、少なくとも１つのリソースセットで前記更なるプライマリ局と同期してペイロードを送信するための手段を有し、前記送信するための手段は、第１セカンダリ局に前記少なくとも１つのリソースセットで制御データを送信するように用意され、前記プライマリ局は、前記更なるプライマリ局からの制御データの送信と直交する、第１セカンダリ局への制御データの送信を実行するように用意される。
【００１６】
本発明の別の態様では、本発明を実施するための手段を有するセカンダリ局が提案される。
【００１７】
本発明のこれらの及び他の態様は、以下に記載される実施の形態から明らかであり、それらを参照して説明される。
【００１８】
ここで、本発明は、添付の図面を参照してさらに詳細に一例として説明される。
【図面の簡単な説明】
【００１９】
【図１】本発明が実施されるネットワークのブロック図。
【図２】第１の実施の形態によるPDCCHの可能なスケジューリングを示す時間周波数図。
【図３】第２の実施の形態によるPDCCHの可能なスケジューリングを示す時間周波数図。
【図４】第３の実施の形態によるPDCCHの可能なスケジューリングを示す時間周波数図。
【発明を実施するための形態】
【００２０】
本発明は、セルに分割されるセルラネットワークに関し、各々のセルはプライマリ局によって取り扱われ、あるセル中のセカンダリ局は、少なくとも考慮されたセルを取り扱うプライマリ局と通信する。１つのプライマリ局は、複数のセル(通常３つ)を取り扱うことができる。
【００２１】
図1に示される本発明の例示的な実施の形態において、セカンダリ局610は、サービング・セル601aの中にあり、プライマリ局600と通信する。この例では、プライマリ局600は、セル601a及び601bを取り扱う。本発明のこの実施の形態の例において、そのような通信システムは、UMTS規格又はLTE規格の下で動作する。したがって、プライマリ局600はeNodeBであることができ、そしてセカンダリ局610は使用者機器(UE)である。セル601aに隣接する第２セル601bが図6に表される。このセル601bは、同じプライマリ局600によって制御される。セカンダリ局611は、第２セル601b中にあり、プライマリ局600と通信する。
【００２２】
明確性のために、セルごとに１つのセカンダリ局のみが示されているが、複数のセカンダリ局がセル中に存在することができる。
【００２３】
プライマリ局600は、それぞれが各々のセル専用の２つのサブアレイ604a及び604bに分割されるアンテナアレイを含み、この例では、セル毎に４つのアンテナである（但し、さらに多いことも可能である（例えば、セル毎に８又は１６））。協調ビーム成形モードによって、セカンダリ局610は、セル601a及び601b専用のアンテナ604a及び604bから信号を受信することができる。２つのセルを取り扱う１つのプライマリ局を有し、協調ビーム成形モードを有効にする結果として、ダウンリンク通信チャネルは、時間が合わせられる。他の例において通信チャネルが全く同期することができない場合であっても、本発明は、PDCCH上で経験される干渉の量を低減する。
【００２４】
さらに、干渉の影響を低減するために、本発明者らによって検討された解決策は以下を含む。
・制御チャネル・サブフレームに適用されるTDMA
○スケジューラは、同じ周波数上で異なるセルにおけるPDCCHのために異なるサブフレームを用いる。しかしながら、いくつかのサブフレームは、いくつかのセル中のいくつかの使用者機器(UE)にとってアクセス可能でない。
○制御チャネル・キャリアに適用される周波数再利用係数と組み合わせられることができる。しかしながら、相互キャリア・スケジューリングは、全てのサブフレームへのアクセスを全てのUEに与えることを必要とした。
○仕様変更なしで実施されることができる。
○サブフレーム間リソース割り当て（Inter subframe resource allocation）が追加されることができる(従来技術から知られている)。
・OFDMシンボルに適用されるTDMA
○スケジューラは、同じ周波数上で異なるセルのPDCCHのための制御領域において異なるOFDMシンボルを用いる。これは、Release 10 PDCCHが所与のOFDMシンボルにおけるRelease 8 REのサブセットのみを用いるように変更される場合、Release 8 PDCCH送信と下位互換性を持つことを可能にする。
○キャリア間のシンボル・タイミング・オフセットに基づいて実施されることができる(従来技術から知られている)
・制御チャネル・キャリアに適用されるFDMA及び周波数再利用係数
○所与のサイトから、全てのキャリアがPDCCHを伝達するというわけではない。しかしながら、相互キャリア・スケジューリングが、PDSCHのための単一周波数再利用係数のために必要とされる。
・キャリア集合との互換性
・異なるセルのためのスケジューラ間で必要とされる調整
○調整は、あるセルに対して、PDCCHを提供するはずであるセルに関する選択(すなわちキャリア)を合意することであることができる。
○仕様変更は不要(Release 10のために既に合意されたキャリア集合における相互キャリア・スケジューリングの追加を除く)。
【００２５】
したがって、異なるセルからのPDCCH送信間の直交性(又は直交の可能性)を提供することが必要とされる。このアプローチは、(例えば同じeNBによって制御される)時間調整されたサブフレームによる同期セルを有するネットワークの成功した機能を可能にするはずである。更に、本発明を実施する端末のための直交性を維持しつつ、そのような端末が本発明を実施するネットワークにおいて正しく動作することができるという意味において、どのように送信スキームを以前のリリースの端末と下位互換性があるものにすべきかが考慮される。
【００２６】
その結果として、本発明の実施の形態は、LTEにおける制御チャネル直交性を達成するための新たな方法を提案する。「パンクチャリング」に基づく方法について、この文脈において、パンクチャリングは、パンクチャリング無しでは信号が存在するRE（リソース要素）に対して、REがパンクチャリングされる場合には、何も送信されないことを意味することに留意する必要がある。実際、プライマリ局は、パンクチャリングされたRE上ではミュートされて、何も伝送しない。逆に、パンクチャリングされていないリソース要素は、プライマリ局が送信を実行するREである。
【００２７】
図2に示される本発明の第１の実施の形態によれば、FDMA及び周波数再利用係数が、PDCCHのために使用される制御チャネル・リソース・ブロックに適用される。図2は、リソース・ブロックを示す時間周波数図である(９つのリソース要素の四角、各々のリソース要素が１つの四角として表される)。図2において、第１セルのPDCCHのために利用可能なリソース・ブロック(上図のストライプのブロック)は、PDCCHのために第２セルによって用いられないことになっていることが示される。同様に、第２セルにおけるPDCCHのために利用可能なリソース・ブロックは、第１セルからのいかなる送信によっても干渉されない。図2は、２つの隣接したセルにおけるPDCCHのために使用されるリソース・ブロックを示し、再利用係数が、制御チャネル・リソース・ブロックに適用される。
○この実施の形態は、Release 10 PDCCHがRelease 8リソース・ブロックのサブセットのみを用いるように変更される場合、Release 8 PDCCH送信と下位互換性があるという利点を有する。Rel 10 UEのために、所与のRB中のRel 8リソースは、新たな直交するリソースのセットを提供するために、セルIDに従ってパンクチャリングされる。直交するリソースの異なるセットの数は再利用係数と同じである(例えば、３つのRBのうちの２つが、３の再利用係数に対してパンクチャリングされる)。Rel 8と同等の性能を維持するために、集合レベルは、(例えば2又は4の係数によって)パンクチャリングの前に増加されるべきである。
【００２８】
図3に示される本発明の第２の実施の形態によれば、FDMA及び周波数再利用係数が、制御チャネル副搬送波に適用される。図3は、２つの隣接したセルにおけるPDCCHのために使用されるリソース・ブロックを示し、再利用係数が、制御チャネル副搬送波に適用される。
○この実施の形態も、Release 10 PDCCHがRelease 8副搬送波のサブセットのみを用いるように変更される場合、Release 8 PDCCH送信と下位互換性がある。Rel 10 UEのために、Rel 8副搬送波は、直交するリソースの新たなセットを提供するために、セルIDに従ってパンクチャリングされる。直交するリソースの異なるセットの数は再利用係数と同じである(例えば、３つのRBのうちの２つが、３の再利用係数に対してパンクチャリングされる)。Rel 8の性能を維持するために、集合レベルは、(例えば2又は4の係数によって)パンクチャリングの前に増加されるべきである。
【００２９】
この実施の形態によれば、異なるセルのためのスケジューラ間で調整が必要とされる。調整は、(DCI集合レベルごとに)各々のセルのために用いられるべき制御CCEのサブセットの選択について合意することであることができる。これは、用いられるサーチ空間の部分のためのセル固有の選択に等しい。
【００３０】
これは、副搬送波間の良好な直交性を必要とする(例えばセル間の近いタイミング同期)。
【００３１】
この実施の形態の変形例において、FDMA及び周波数再利用係数が、制御チャネル・サーチ空間に適用される。プライマリ局は、異なるセル中の異なるUEのためのサーチ空間における直交する位置を選択する。これは、スケジューラが同じ周波数上で異なるセルにおいて異なるPDCCH副搬送波を用いることを意味する。これは、同じシステム帯域及び制御チャネルのために予約されるOFDMシンボルの同じ数の仮定の下で達成されることができる。異なるセルのためのスケジューラ間で調整が必要とされる。調整は、(DCI集合レベルごとに)各々のセルのために用いられるサブセット・サーチ空間要素の選択について合意することであることができる。これは、用いられるべきサーチ空間の部分のためのセル固有の設定に等しい。再び、これは、副搬送波間の良好な直交性を必要とする場合がある(例えばセル間の近いタイミング同期)。しかしながら、これは、標準的な規格への変更なしで実施されることができる。
○変更されたサーチ空間は、Release 10 UEのために追加されることもできる。新たなサーチ空間設計によって(例えば、減少した/変更されたサーチ空間がキャリア集合に対して特定される場合)、サーチ空間は、UE固有の構成であることができるか、又は、Cell IDによって決まることができる。
○制御情報に割り当てられるOFDMシンボルの数がセル間で異なる場合、２つの異なるサーチ空間位置が、異なるセルにおいて必ずしも完全に直交するというわけではない。
○注: LTEにおいて、異なるセルにおける異なる位置へのCRS及びPHICHの挿入に起因する更なる複雑化が存在する。これは、２つの異なるサーチ空間位置が、異なるセルにおいて、必ずしも完全に直交するというわけではないことを意味する（図4参照）。そのような場合、CRSの数及びPHICH継続時間が両方のセルにおいて同じであると有用である。
【００３２】
図4で、第１セルのための２つのサーチ空間位置は、Cell Aの中で直交する。同じサーチ空間位置のためのいくつかのリソース要素は、(矢印によって指定される)Cell Bにおいて異なる。(ストライプ及び方眼の)第２セルのための２つのサーチ空間位置は、Cell Bにおいて依然として直交する。(例えば)両方ともストライプの位置における制御チャネルから生じる２つのセルからの潜在的に干渉する送信は、CRS位置(黒)を除いて、２つのセル間で直交する。
【００３３】
しかしながら、「非直交」リソース要素を受信するためのより大きな問題は、おそらく、PDCCHの代わりにCRSからの干渉である。
・制御チャネル・サーチに適用されるCDM
○直交する拡散符号が、PDCCH送信に適用される。２，４又は８の係数による場合、これは、より大きいPDCCHフォーマット・サイズに直接対応する。２つの他の例は、以下の通りである。
− 拡散がシンボル・レベルで適用されることができる
− 拡散は、(メッセージごとに適用される拡散符号要素によって)PDCCHメッセージの１つ以上の更なるコピーを生成することによって達成されることができる。
・これは、メッセージの少なくとも１つのコピーが、下位互換性のある態様で送信されるという利点を有する。
・メッセージの各々のコピーが、(例えば連続して)サーチ空間の定められた部分において送信されることができる。この場合には、拡散は、情報ビットの複数のコピーが生成されるレート・マッチング処理の一部として適用されることができる。
○制御情報に割り当てられるOFDMシンボルの数がセル間で異なる場合、異なる拡散符号を有するがその他は同一である、異なるセルにおける２つのPDCCH送信は、異なるリソース要素を占有し、直交する拡散符号は、一般に、直交する信号をもたらさない。
○注:LTEにおいて、異なるセルにおける異なる位置へのCRS及びPHICHの挿入に起因する更なる複雑化が存在する。これは、異なる拡散符号を有するがその他は同一である異なるセルにおける２つのPDCCHが、異なるリソース要素を占有する場合があり、したがって、異なるセル間で必ずしも完全に直交しない場合があることを意味する。そのような場合、CRSの数及びPHICH継続時間が両方のセルにおいて同じであると有用である。しかしながら、「非直交」リソース要素を受信するためのより大きな問題は、おそらく、PDCCHの代わりにCRSからの干渉である。
【００３４】
したがって、本発明の実施の形態によれば、PDCCHに対する干渉の量を低減する説明された方法のうちの１つ以上を用いることが提案される。
【００３５】
好ましいソリューションのうちの１つは、セル間の直交性を提供するための周波数ドメイン制御チャネル・リソースのパンクチャリングである。新たなスキームによる送信は下位互換性がある。
【００３６】
セル間の直交性を提供するために制御チャネルに適用される拡散符号又はシーケンスを有することも可能である。これは、新たなスキームに従って送信される情報の少なくとも一部が下位互換性を有する態様で実行されることができる。
【００３７】
他の実施の形態によれば、隣接したセルにおいて使用されるリソースセットと直交することが知られている１つのセルにおけるリソースセット(サーチ空間中の位置)の選択肢を有することが提案される。
【００３８】
これら全ての変形例において、例えば、どのパンクチャリング/拡散符号/リソースセットが使用中であるかを示すために、eNB間のいくつかの信号伝達を提供することが重要である場合がある。
【００３９】
他の実施の形態によれば、隣接するセルからのダウンリンク送信が、サブフレーム・レベルで同期して時間調整される、LTEのようなシステムが提案される。これは、同じeNodeBによって制御されるセルに対して、容易に達成されることができる。好ましくは、これらのセルは、同じ搬送周波数及びシステム帯域を有する。異なるセルからの制御チャネル送信(PDCCH)は、周波数ドメインにおいて好ましくは直交する。これは、セルIDに対応するRBの所与のセットにおける所与のセルからのPDCCH送信をパンクチャリングすることによって達成される。好ましい実施の形態では、M個のRBごとにパンクチャリングされない。好ましくは、同じセルサイトからサポートされる３つのセルの場合、M=3である。好ましくは、マクロセルのカバレージ領域内のオーバーラップしないフェムト・セルの場合は、M=2である。UEは、パンクチャリングが適用されることを、信号伝達によって通知される。
【００４０】
好ましい実施の形態のバリエーションにおいて、パンクチャリングは副搬送波ごとであり、そしてM個の副搬送波ごとにパンクチャリングされない。この場合には、パンクチャリングされない副搬送波は、好ましくはCRSを含まない。
【００４１】
更なるバリエーションにおいて、パンクチャリングされないRB(又は副搬送波)のセットは、さらに、考慮されるOFDMシンボルによって決まる。
【００４２】
バリエーションにおいて、パンクチャリングされないRB(又は副搬送波)のセットは、UEに通知されるか、又は、Cell ID mod Mによって決まる。
【００４３】
バリエーションにおいて、符号化されたPDCCHデータ・ブロックのサイズは、パンクチャリングの前にN(N=2、4又は8)の係数によって拡張される。LTEにおいて、これは、より大きい数CCEを有する異なるPDCCHフォーマットを選択することによって達成されることができる。
【００４４】
更なるバリエーションにおいて:
・パンクチャリングは、(例えばUE固有のサーチ空間において)いくつかのPDCCHメッセージのみに適用される。
・パンクチャリングは、サーチ空間の一部のみに適用される(例えば、既存のサーチ空間は本発明を用いないUEとの通信を可能にするためにパンクチャリングされないが、パンクチャリングを含む新たなサーチ空間が追加される)。
・パンクチャリングが適用される場合、サーチ空間は変更される(例えば、大きいPDCCHフォーマット・サイズのために増加され及び/又は小さいPDCCHフォーマット・サイズのために低減される)。
・パンクチャリングは、いくつかのPDCCHフォーマットのみに(例えば大きいサイズを有するフォーマットのみに)適用される。
・パンクチャリングは、(例えばセル境界での通信に適した送信モード(一般に低データ速度によるロバスト・モード)を示す)いくつかのDCIフォーマットのみに適用される。
・パンクチャリングは、いくつかのキャリア(例えばマクロセル・カバレージ領域内のフェムト・セルによって使用されるキャリア)にのみ適用される。
【００４５】
他の好ましい実施の形態は、係数Mによるパンクチャリングが係数Mによる拡散によって置き換えられることを除いて、第１の実施の形態(及び上記のバリエーション)と同一である。
【００４６】
少なくとも本発明のいくつかの態様は、他の制御チャネル(例えばLTEにおけるPHICH)に適用されることができる。
【００４７】
本発明の実施の形態は、無線LAN(IEEE 802.11n)及び広帯域無線(IEEE 802.16)と同様に、UMTS、UMTS LTE及びUMTS LTE-Advancedのような無線通信システムおける特定のアプリケーションを有する（但しそれらに限られない）。
【００４８】
本明細書及び請求の範囲において、単数で表現された要素は、そのような要素が複数存在することを除外しない。「有する」「含む」などの用語は、挙げられたもの以外の他の要素又はステップの存在を除外しない。
【００４９】
請求の範囲における括弧に参照符号が含まれることは、理解を助けることを目的としており、制限することは意図されない。
【００５０】
本開示を読むことから、他の変形例が当業者にとって明らかとなるだろう。そのような変形例は、無線通信の分野において既に知られている他の特徴を含むことができる。
【図１】
2013520063.tif 000003
【図２】
2013520063.tif 000004
【図３】
2013520063.tif 000005
【図４】
2013520063.tif 000006
【国際調査報告】
2013520063.tif 000007
2013520063.tif 000008
2013520063.tif 000009